(57)【要約】【課題】ユーザの意図に応じて複数ページの画像データを複数の相手先に対して異なる閲覧範囲を設定して送信する場合の操作の簡素化や送信データの利便性の向上を実現すること。【解決手段】入力される画像データを指定される複数の宛先に送信する際に、操作部１３から前記各宛先毎に前記画像データに異なる閲覧範囲を指定する。そして、コア部１０のＣＰＵが、前記画像データから前記各宛先毎に指定された閲覧範囲外の閲覧を制限した前記各宛先毎の送信データをそれぞれ生成する。さらに、該生成された各宛先毎の送信データを、前記各宛先にそれぞれ送信するように制御するように構成を特徴とする。【選択図】図１
2007067619.tif 000002
【特許請求の範囲】
【請求項１】
入力される画像データを指定される複数の宛先に送信するデータ送信装置において、
前記複数の宛先のそれぞれに対して前記画像データに異なる閲覧範囲を指定可能な第１の指定手段と、
前記第１の指定手段により指定された閲覧範囲外の閲覧を制限した送信データを、前記複数の宛先のそれぞれに対して生成し、該生成された送信データを、前記複数の宛先のそれぞれに送信するように制御する制御手段と、
を有することを特徴とするデータ送信装置。
【請求項２】
前記第１の指定手段は、前記複数の宛先のそれぞれに対して前記画像データに異なる閲覧範囲と該閲覧範囲外の閲覧を制限する方法を指定可能なものであり、
前記制御手段は、前記閲覧範囲外の閲覧を制限する方法に基づいて前記閲覧範囲外の閲覧を制限した送信データを生成することを特徴とする請求項１記載のデータ送信装置。
【請求項３】
前記制御手段は、前記画像データの前記閲覧範囲から前記送信データを生成することを特徴とする請求項１又は２記載のデータ送信装置。
【請求項４】
前記制御手段は、前記画像データの前記閲覧範囲外をパスワードによりマスクして前記送信データを生成することを特徴とする請求項１又は２記載のデータ送信装置。
【請求項５】
前記制御手段は、前記画像データの前記閲覧範囲外を閲覧不可能に画像処理して前記送信データを生成することを特徴とする請求項１又は２記載のデータ送信装置。
【請求項６】
前記制御手段は、前記送信データを指定されるフォーマットで生成することを特徴とする請求項１〜５のいずれかに記載のデータ送信装置。
【請求項７】
前記第１の指定手段は、前記閲覧範囲を前記画像データのページ単位で指定することを特徴とする請求項１〜６のいずれかに記載のデータ送信装置。
【請求項８】
前記第１の指定手段は、前記画像データの各ページを表示装置に表示し、該表示される前記画像データの各ページから閲覧範囲をページ単位に指定させることを特徴とする請求項７記載のデータ送信装置。
【請求項９】
前記制御手段は、画像データを電子メールに添付して送信するものであり、カーボンコピーとして指定された宛先には、前記画像データの１ページ目のみ送信するように制御することを特徴とする請求項１〜８のいずれかに記載のデータ送信装置。
【請求項１０】
前記制御手段は、画像データを電子メールに添付して送信するものであり、カーボンコピーとして指定された宛先には、前記画像データの２ページ以降をパスワードによりマスクして送信するように制御することを特徴とする請求項１〜８のいずれかに記載のデータ送信装置。
【請求項１１】
前記各宛先として指定可能な宛先情報と所定の付加情報とを紐付けて複数組登録可能な第１の登録手段と、
前記付加情報毎に前記画像データに異なる閲覧範囲を指定可能な第２の指定手段と、
前記制御手段は、前記画像データから前記第２の指定手段により前記各付加情報毎に指定された閲覧範囲外の閲覧を制限した前記各付加情報毎の送信データをそれぞれ生成するものであり、
また前記制御手段は、前記生成された各付加情報毎の送信データを、前記各付加情報に紐つけて登録された宛先情報に対応する前記指定された各宛先に、それぞれ送信するように制御することを特徴とする請求項１〜１０のいずれかに記載のデータ送信装置。
【請求項１２】
前記画像データの宛先として指定可能な複数の宛先情報から構成されるグループを複数登録可能な第２の登録手段と、
前記グループ毎に前記画像データに異なる閲覧範囲を指定可能な第３の指定手段と、
前記制御手段は、前記画像データから前記第３の指定手段により前記各グループ毎に指定された閲覧範囲外の閲覧を制限した前記各グループ毎の送信データをそれぞれ生成するものであり、
また前記制御手段は、前記生成された各グループ毎の送信データを、前記各グループを構成する宛先情報に対応する宛先に、それぞれ送信するように制御することを特徴とする請求項１〜１０のいずれかに記載のデータ送信装置。
【請求項１３】
複数のページのそれぞれに対応する画像データを入力する入力手段と、
複数の宛先を指定する指定手段と、
前記指定手段によって指定された複数の宛先毎に、前記複数のページのうち送信すべきページを選択する選択手段と、
一度の送信指示によって、前記選択手段によって選択されたページに対応する画像データを前記複数の宛先毎に送信する送信手段と、
を有することを特徴とするデータ送信装置。
【請求項１４】
入力される画像データを指定される複数の宛先に送信するデータ送信装置におけるデータ送信方法において、
前記複数の宛先のそれぞれに対して前記画像データに異なる閲覧範囲を指定可能な指定ステップと、
前記指定ステップによって指定された閲覧範囲外の閲覧を制限した送信データを、前記複数の宛先のそれぞれに対して生成し、該生成された送信データを、前記複数の宛先のそれぞれに送信する送信ステップと、
を有することを特徴とするデータ送信方法。
【請求項１５】
複数のページのそれぞれに対応する画像データを入力する入力ステップと、
複数の宛先を指定する指定ステップと、
前記指定ステップによって指定された複数の宛先毎に、前記複数のページのうち送信すべきページを選択する選択ステップと、
一度の送信指示によって、前記選択ステップによって選択されたページに対応する画像データを前記複数の宛先毎に送信する送信ステップと、
を有することを特徴とするデータ送信方法。
【請求項１６】
請求項１４に記載されたデータ送信方法をコンピュータに実行させるためのプログラム。
【請求項１７】
請求項１５に記載されたデータ送信方法をコンピュータに実行させるためのプログラム。
【発明の詳細な説明】
【技術分野】
【０００１】
本発明は、入力された画像データを指定された宛先に送信するデータ送信装置およびデータ送信方法およびプログラムに関する。
【背景技術】
【０００２】
データ送信システムとして、例えば、デジタル複合機により構成されるものがある。このようなデータ送信システムにおいては、スキャナで読み取られた画像または外部から受信手段を介して取り込まれた画像等の入力された画像を指定された宛先へ送信する。その際に、予め設けられた画像変換機能を用いて、上記画像を指定された画像ファイル形式へ変換し、該変換後の画像を送信することが可能である。
【０００３】
例えば、スキャナで複数枚の原稿を読み取ることによって得られた複数ページの画像を送信する際、まず、各ページの画像は、それぞれ、ユーザが指定した適切なファイルフォーマットの画像データに変換され、その後に、送信される。
【０００４】
また、この時、指定されたファイルフォーマットが１ファイルに複数ページを持つことが可能なものであれば、読み取られた文書の全ページが１ファイルにまとめられて送信される。
【０００５】
ここで、１ファイルに複数ページを持つことが可能なファイルフォーマットとしては、例えばＴＩＦＦ（Tag Image Format File）、ＰＤＦ（Portable Document Format）等がある。そして、ＰＤＦフォーマットにはパスワードによって閲覧を制限する機能を有する。
【０００６】
以下、複数の画像を送信する技術が開示された特許文献について説明する。
【０００７】
特許文献１には、選択された複数の画像をネットワーク上に送信し、該選択された複数の画像から縮小画像を生成し、出力することが記載されている。
【０００８】
また、特許文献２では、デジタル複合機において、入力された複数ページの画像データを送信する際に、全分割送信が指定された場合、入力された複数ページの画像データを１ページ単位で分割する。そして分割された各画像データをそれぞれ所定フォーマットで規定される個別のファイルとして送信することが記載されている。
【特許文献１】特開２００２−１４２０６２号広報
【特許文献２】特開２００４−２８２３２２号広報
【発明の開示】
【発明が解決しようとする課題】
【０００９】
しかしながら従来の画像の送信方法では、ある複数ページの書類をスキャンして複数の宛先に異なる閲覧範囲を設定して送るためには以下の操作を行う必要があった。即ちそれぞれ設定する閲覧範囲毎に「スキャン」→「ページ選択」→「データ変換」→「送信」の一連の作業をユーザの手動によるマニュアル操作で繰り返す必要があった。これにより、ユーザの手間がかかってしまうといった問題点があった。
【００１０】
また、上記従来の画像の送信方法では、閲覧範囲外のページの情報は送信されない。そのため、画像送信後に、該画像の送信先に、上記閲覧範囲外を閲覧させたい場合には、該当する範囲の画像データを再スキャンして送信する必要があり、非常に煩雑であったという問題点もあった。
【００１１】
本発明は、上記の問題点を解決するためになされたもので、本発明の目的は、複数ページの画像データを複数の相手先に対して異なる閲覧範囲を設定して送信する場合の操作の簡素化や送信データの利便性の向上を実現可能な仕組を提供することである。
【課題を解決するための手段】
【００１２】
本発明は、入力される画像データを指定される複数の宛先に送信するデータ送信装置において、以下の構成を有することを特徴とする。前記複数の宛先のそれぞれに対して前記画像データに異なる閲覧範囲を指定可能な第１の指定手段を有する。また、前記第１の指定手段により指定された閲覧範囲外の閲覧を制限した送信データを、前記複数の宛先のそれぞれに対して生成し、該生成された送信データを、前記複数の宛先のそれぞれに送信するように制御する制御手段を有することを特徴とする。
【発明の効果】
【００１３】
本発明によれば、複数ページの画像データを複数の相手先に対して異なるページを指定して送信する場合の操作を簡素化することができる。
【発明を実施するための最良の形態】
【００１４】
〔第１実施形態〕
図１は、本発明の一実施形態を示すデータ送信装置を適用可能な複合機の構成の一例を示すブロック図である。
【００１５】
図１において、１はリーダ部であり、原稿の画像を読み取り、原稿画像に応じた画像データをプリンタ部２及び画像入出力制御部３へ出力する。プリンタ部２は、リーダ部ｌ及び画像入出力制御部３からの画像データに応じた画像を記録紙上に記録する。画像入出力制御部３は、リーダ部ｌに接続されており、ファクシミリ部４、ファイル部５、ネットワークインタフェース部７、ＬＩＰＳフォーマッタ部８、ポストスクリプトフォーマッタ部９、コア部ｌ０等からなる。
【００１６】
ファクシミリ部４は、電話回線を介して受信した圧縮画像データを伸長して、伸長された画像データをコア部ｌ０へ転送し、又、コア部ｌ０から転送された画像データを圧縮して、圧縮された圧縮画像データを電話回線を介して送信する。
【００１７】
ファイル部５には、光磁気ディスクドライブユニット６が接続されている。このファイル部５は、コア部ｌ０から転送された画像データを圧縮し、その画像データを検索するためのキーワードとともに光磁気ディスクドライブユニット６にセットされた光磁気ディスクに記憶させる。又、ファイル部５は、コア部ｌ０を介して転送されたキーワードに基づいて光磁気ディスクに記憶されている圧縮画像データを検索し、検索された圧縮画像データを読み出して伸長し、伸長された画像データをコア部１０へ転送する。
【００１８】
ネットワークインタフェース部７は、パーソナルコンピュータ又はワークステーション（ＰＣ／ＷＳ）ｌｌとコア部ｌ０の間のインタフェースである。１２はネットワークサーバーであり、ネットワーク制御の中枢である。
【００１９】
ＬＩＰＳフォーマッタ部８は、ＰＣ／ＷＳｌｌから転送されたＰＤＬデータ（ＬＩＰＳ）をプリンタ部２で記録できる画像データに展開するものである。ポストスクリプトフォーマッタ部９は、ＰＣ／ＷＳｌｌから転送されたＰＤＬデータ（ポストスクリプト）をプリンタ部２で記録できる画像データに展開するものである。
【００２０】
コア部ｌ０についての詳細は後述するが、コア部ｌ０は、リーダ部ｌ、ファクシミリ部４、ファイル部５、ネットワークインタフェース部７、フォーマッタ部８、９のそれぞれの間のデータの流れを制御するものである。
【００２１】
１３は操作部であり、ユーザからの各種操作指示を入力したり、各種メッセージを表示するためのものである。
【００２２】
図２は、図１に示したリーダ部ｌ及びプリンタ部２の断面図であり、図１と同一のものには同一の符号を付してある。
【００２３】
図２に示すリーダ部１おいて、１０１は原稿給装装置であり、原稿を最終頁から順にｌ枚ずつプラテンガラスｌ０２上へ給送し、原稿の読み取り動作終了後、プラテンガラス１０２上の原稿を排出するものである。原稿がプラテンガラス１０２上に搬送されると、ランプｌ０３を点灯し、そしてスキャナユニットｌ０４の移動を開始させて、原稿を露光走査する。
【００２４】
この時の原稿からの反射光は、ミラーｌ０５、ｌ０６、ｌ０７、及びレンズｌ０８によってＣＣＤイメージセンサ（以下ＣＣＤという）１0９へ導かれる。このように、走査された原稿の画像はＣＣＤｌ０９によって読み取られる。ＣＣＤ１０９から出力される画像データは、所定の処理が施された後、プリンタ部２及び画像入出力制御部３のコア部１０へ転送される。
【００２５】
プリンタ部２において、２２１はレーザドライバであり、レーザ発光部２０ｌを駆動するものであり、リーダ部ｌから出力された画像データに応したレーザ光をレーザ発光部２０ｌに発光させる。このレーザ光は感光ドラム２０２に照射され、感光ドラム２０２にはレーザ光に応じた潜像が形成される。この感光ドラム２０２の潜像の部分には現像器２０３によって現像剤が付着される。
【００２６】
そして、レーザ光の照射開始と同期したタイミングで、カセット２０４及びカセット２０５のいずれかから記録紙を給紙して転写部２０６へ搬送し、感光ドラム２０２に付着された現像剤を記録紙に転写する。現像剤の乗った記録紙は、定着部２０７に搬送され、定着部２０７の熱と圧力により現像剤は記像紙に定者される。定着部２０７を通過した記録紙は排出ローラ２０８によって排出される。
【００２７】
そして、ソータ２２０は、排出された記録紙をそれぞれのピンに収納して記録紙の仕分けを行う。なお、ソータ２２０は仕分けが設定されていない場合は最上ビンに記録紙を収納する。また、両面記録が設定されている場合は、排出ローラ２０８のところまで記録紙を搬送した後、排出ローラ２０８の回転方向を逆転させ、フラッパ２０９によって再給紙搬送路へ導く。
【００２８】
多重記録が設定されている場合は、記録紙を排出ローラ２０８まで搬送しないようにフラッパ２０９によって再給紙搬送路へ導く。再給紙搬送路へ導かれた記録紙は上述したタイミングで転写部２０６へ給紙される。
【００２９】
なお、本実施形態では、プリンタ部２がレーザビーム方式である場合を例にして説明した。しかし、レーザビーム方式以外の電子写真方式（例えばＬＥＤ方式）でも、液晶シャッタ方式、インクジェット方式、熱転写方式、昇華方式でもその他のプリント方式であっても本発明は適用可能である。
【００３０】
図３は、図１，図２に示したリーダ部ｌのブロック図であり、図１，図２と同一のものには同一の符号を付してある。
【００３１】
図３において、１１０Ａ／Ｄ・ＳＨ部であり、ＣＣＤｌ０９から出力された画像データに対して、アナログ／デジタル変換を行うとともに、シェーディング補正を行う。
【００３２】
１１１は画像処理部であり、Ａ／Ｄ・ＳＨ部ｌｌ０によって処理された画像データに画像処理を施してプリンタ部２へ転送するとともに、インタフェース部１１３を介して画像入出力制御部３のコア部１０へ転送する。
【００３３】
１１４はＣＰＵであり、操作部１１５で設定された設定内容に応じて画像処理部１ｌ１及びインタフェース１１３を制御する。例えば、操作部１１５でトリミング処理を行って複写を行う複写モードが設定されている場合は、ＣＰＵ１１４は、画像処理部１１１でトリミング処理を行わせてプリンタ部２へ転送させるように制御する。また、操作部ｌｌ５でファクシミリ送信モードが設定されている場合は、ＣＰＵ１１４は、インタフェース１１３から画像データと設定されたモードに応じた制御コマンドをコア部ｌ０へ転送させるように制御する。このようなＣＰＵ１１４の制御プログラムは、メモリ１１６に記憶されており、ＣＰＵ１１４は、メモリ１１６を参照しながら上述のような制御を行う。また、メモリ１１６は、ＣＰＵ１１４の作業領域としても使用される。
【００３４】
図４は、図１に示したコア部１０のブロック図であり、図１と同一のものには同一の符号を付してある。
【００３５】
図４において、１２２インタフェース部（Ｉ／Ｆ）である。このＩ／Ｆ１２２を介して、リーダ部１からの画像データはデータ処理部１２１へ転送され、リーダ部１からの制御コマンドはＣＰＵ１２３へ転送される。データ処理部１２１は、画像の回転処理や変倍処理などの画像処理を行うものである。
【００３６】
ＣＰＵ１２３は、リーダ部ｌ、ファクシミリ部４、ファイル部５、ネットワークインタフェース部７、ＬＩＰＳフォーマッタ部８、ＬＩＰＳフォーマッタ部９のそれぞれの間のデータの流れを制御する。以下、この制御について示す。
【００３７】
リーダ部１からデータ処理部１２１へ転送された画像データは、リーダ部１から転送された制御コマンドに応じて、インタフェース部（Ｉ／Ｆ）１２０を介してファクシミリ部４、ファイル部５、ネットワークインタフェース部７へ転送されるように制御される。
【００３８】
また、ネットワークインタフェース部7を介して入力された画像を表すコードデータ（ＰＤＬ）は、データ処理部１２１に転送され、そのＰＤＬがＬＩＰＳであるのかあるいはポストスクリプトであるのかが判定される。そして、しかるべきフォーマッタ部（ＬＩＰＳフォーマッタ部８ないしＰＳフォーマッタ部９）へ転送されて画像データに展開されるように制御される。そして、展開された画像データは、ＬＩＰＳフォーマッタ部８ないしＰＳフォーマッタ部９で展開された画像データは、データ処理部１２１に転送された後、ファクシミリ部４やプリンタ部２へ転送されるように制御される。
【００３９】
ファクシミリ部４からの画像データは、データ処理部１２１へ転送された後、プリンタ部２やファイル部５、ネットワークインタフェース部７へ転送されるように制御される。
【００４０】
また、ファイル部５からの画像データは、データ処理部１２１へ転送された後、ブリンタ部２やファクシミリ部４、ネットワークインタフェース部７へ転送されるように制御される。
【００４１】
ＣＰＵ１２３は、メモリ１２４のＲＯＭ領域に記憶されている制御プログラム、及びリーダ部１から転送された制御コマンドに従ってこのような制御を行う。メモリ１２４のＲＡＭ領域はＣＰＵ１２３の作業領域としても使われる。
【００４２】
ネットワークインタフェース部７には、ＭＩＢ（Management Information Base）と呼ばれるデーターベースが構築されている。そして、ＳＮＭＰ（Simple Network Management Protocol）プロトコルを介してネットワーク上のコンピュータと通信し、プリンタの管理（監視・制御）が可能になっている。部門ＩＤごとに設定可能なプリント枚数やその他の各種設定が装置の操作部あるいはネットワーク上のコンピュータから設定、管理が可能となっている。
【００４３】
図５は、図１に示した操作部１３の構成を示す平面図である。
【００４４】
操作部１３は、タッチパネル付のＬＣＤ部（液晶表示部）２２００とキー操作部２２３０とからなっている。
【００４５】
ＬＣＤ部２２００に表示される画面には、コピーモード選択キー２２０１，送信モード選択キー２２０２，ボックスモード選択キー２２０３，オプションモード選択キー２２０４，システムモニタモード選択キー２２０５が表示される。これらのモード選択キーをユーザが押下指示することで、動作モードが切り替わる仕組みになっている。
【００４６】
本実施形態の複合機には、動作モードとして、コピーモード、送信（Ｓｅｎｄ）モード、ボックスモード、オプションモード、システムモニタモード等が用意されている。コピーモードは、複写動作を行う為のモードである。送信（Ｓｅｎｄ）モードは、スキャンした画像データを送信するモードである。ボックスモードは、ボックスからの画像データの取り出しや編集を行う為のモードである。オプションモードは、各種設定を行う為のモードである。システムモニタモードは、システムの状況を知るためのモードである。図５ではコピーモードが選択され、コピーモード画面がＬＣＤ部２２００に表示されている場合が示されている。
【００４７】
図６は、本実施形態の複合機の各動作モードにおける動作の一例を示すフローチャートである。
【００４８】
まず、コピーモード選択キー２２０１がユーザにより押下指示されたとコア部１０のＣＰＵ１２３が判定した場合には（Ｓ２１００）、コア部１０のＣＰＵ１２３は、動作モードをコピーモードに切り替える（Ｓ２１１０）。そしてＣＰＵ１２３は、コピーモード画面をＬＣＤ部２２０に表示するよう制御する（Ｓ２１１１）。そして、ユーザにより送信モード画面でのコピー設定がなされ（Ｓ２１１２）、コピー指示がなされると、コア部１０のＣＰＵ１２３は、コピー動作を実行するように制御する（Ｓ２１１３）。
【００４９】
また、送信モード選択キー２２０２がユーザにより押下指示されたとコア部１０のＣＰＵ１２３が判定した場合には（Ｓ２２００）、コア部１０のＣＰＵ１２３は、動作モードを送信モードに切り替える（Ｓ２１２０）。そしてＣＰＵ１２３は、送信画面をＬＣＤ部２２０に表示するよう制御する（Ｓ２１２１）。そして、ユーザにより送信モード画面での送信設定がなされ（Ｓ２１２２）、送信指示がなされると、コア部１０のＣＰＵ１２３は、送信動作を実行するように制御する（Ｓ２１２３）。
【００５０】
また、ボックスモード選択キー２２０３がユーザにより押下指示されたとコア部１０のＣＰＵ１２３が判定した場合には（Ｓ２２００）、コア部１０のＣＰＵ１２３は、動作モードをボックスモードに切り替える（Ｓ２１３０）。そしてＣＰＵ１２３は、ボックス画面をＬＣＤ部２２０に表示するよう制御する（Ｓ２１３１）。そして、ユーザによりボックスモード画面でのボックス設定がなされ（Ｓ２１３２）、画像データのボックス格納指示がされると、コア部１０のＣＰＵ１２３は、画像データのボックス格納動作を実行するように制御する（Ｓ２１３３）。また、画像データのボックス取り出し指示がなされると、コア部１０のＣＰＵ１２３は、画像データのボックス取り出し動作を実行するように制御する（Ｓ２１３３）。
【００５１】
また、オプションモード選択キー２２０４がユーザにより押下指示されたとコア部１０のＣＰＵ１２３が判定した場合には（Ｓ２１００）、コア部１０のＣＰＵ１２３は、動作モードをオプションモードに切り替える（Ｓ２１４０）。そしてＣＰＵ１２３は、オプションモード画面をＬＣＤ部２２０に表示するよう制御する（Ｓ２１４１）。そして、ユーザによりオプションモード画面でのオプション設定がなされ（Ｓ２１４２）、確定指示がなされると、コア部１０のＣＰＵ１２３は、確認動作を実行するように制御する（Ｓ２１４３）。
【００５２】
また、システムモニタモード選択キー２２０５がユーザにより押下指示されたとコア部１０のＣＰＵ１２３が判定した場合には（Ｓ２１００）、コア部１０のＣＰＵ１２３は、動作モードをシステムモニタモードに切り替える（Ｓ２１５０）。そしてＣＰＵ１２３は、システム状況表示画面をＬＣＤ部２２０に表示するよう制御する（Ｓ２１５１）。そして、ユーザによりシステム状況表示画面でのシステム設定がなされ（Ｓ２１５２）、確定指示がなされると、コア部１０のＣＰＵ１２３は、確認動作を実行するように制御する（Ｓ２１５３）。
【００５３】
このように、コア部１０を中心に、原稿画像の読み取り、画像のプリント、画像の送受信、画像の保存、コンピュータからのデータの入出力などの機能を複合させた処理を行うことが可能である。
【００５４】
以下、図５の操作部１３の説明に戻る。
【００５５】
図５のＬＣＤ部２２００に表示されるコピーモード画面において、２２１１はメッセージラインで、コピージョブの状態を示すメッセージや倍率や用紙等を表示する。２２１０は置数表示で、何枚コピーするかを示す。２２１２は等倍キー及び倍率キーである。等倍キーは、縮小や拡大が設定されている場合に等倍に戻したいときに使用する。また、倍率キーは、縮小コピー／拡大コピーを行いたい場合に使用する。
【００５６】
２２１３は用紙選択キーで、出力用紙を指定する場合に使用する。２２１４は濃度表示，うすくキー，自動キー，濃くキーである。濃度表示には、現在の濃度が表示されおり、左側が濃度が薄く、右側が濃度が濃いことを示す。また、濃度表示は、うすくキー，こくキーと連動して表示が変化するようになっている。うすくキーは、濃度を薄くしたい場合に使用する。こくキーは、濃度を濃くしたい場合に使用する。自動キーは、自動的に濃度を決定するモードを使用する場合に使用する。
【００５７】
２２１５はソータキーで、ソートやステイプルのモードを設定する場合に使用する。２２１６は両面キーで、両面モードを設定する場合に使用する。
【００５８】
２２１７は文字／写真キーで、文字原稿をコピーするのに適した濃度に自動的に設定する文字モード、写真が混在した原稿をコピーするのに適した濃度に自動的に設定する写真モード等を設定する場合に使用する。２２１９は応用モードキーで、コピーモード画面で設定できない様々なコピーモードを設定する場合に使用する。２２１８は割り込みキーで、割り込みコピーを行う場合に使用する。
【００５９】
次に、キー操作部２２３０について説明する。
【００６０】
２２３１はコピースタートキーで、コピーの開始等を指示するときに用いるキーである。２２３２はストップキーで、コピー等を中断したり、中止したりするときに用いるキーである。２２３３はリセットキーで、スタンバイ中は標準モードに復帰させるキーとして動作する。
【００６１】
２２３３はテンキーで、数値の入力を行うときに使用する。２２３７はガイドキーで、各機能を知りたいときに使用するキーである。２２３８は拡張機能キーで、拡張機能に対する操作を行うときに使用する。２２３６はカウンタチェックキーで、コピーカウンタ等をチェックしたいときに使用する。
【００６２】
このように構成された操作部１３を用いて、ユーザは、コピー部数のほかに、紙サイズ、変倍率、画像モードや仕上げ方法などを設定して、スタートキー２２３１を押下すると、コピー動作を行うことができる。
【００６３】
以下、図７〜図１１を参照して、本発明の第１実施形態におけるデータ送信方法について説明する。
【００６４】
図７は、本発明のデータ送信装置における第１の制御処理手順の一例を示すフローチャートである。なお、このフローチャートの処理は、図４に示したコア部１０のＣＰＵ１２３がメモリ１２４又はその他の記憶媒体（記録媒体）に格納されたプログラムをメモリ１２４のＲＡＭ領域にロードして実行される。また、図７中、Ｓ１０１〜Ｓ１１３は各ステップを示す。
【００６５】
図８は、本発明のデータ送信装置における閲覧制限の設定例を示す図である。なお、ここでは、５ページの原稿を３つの閲覧制限パターン（Ａ，Ｂ，Ｃ）で送信する場合を例として示す。
【００６６】
図８に示すように、閲覧制限パターンＡは、閲覧制限のない場合に対応する。閲覧制限パターンＢは、２ページ，４ページを削除する閲覧制限に対応する。閲覧制限パターンＣは、３ページ，４ページ，５ページをパスワードでマスクする閲覧制限に対応する。
【００６７】
図９は、図５に示したＬＣＤ部２２００に表示されるコピーモード画面の一例を示す図であり、図５に示したコピーモード選択キー２２０１が指示されることにより表示される。なお、図５と同一のものには同一の符号を付してある。
【００６８】
図１０は、図５に示したＬＣＤ部２２００に表示される送信モード画面の一例を示す図であり、図５に示した送信モード選択キー２２０２が指示されることにより表示される。なお、図９と同一のものには同一の符号を付してある。
【００６９】
図１０において、１００１は読込設定エリアであり、リーダ部１による原稿の読み込み（スキャン）設定を行う際に使用する。１００２はファイル形式設定エリアであり、リーダ部１により原稿から読み込まれた画像データのファイル形式を選択する際に使用する。１００３は閲覧制限モードキーであり、閲覧制限モードをＯＮにする際に使用する。
【００７０】
図１１は、図５に示したＬＣＤ部２２００に表示される閲覧制限設定モード画面の一例を示す図である。
【００７１】
以下、図７のフローチャートの各ステップについて説明する。
【００７２】
まず、図９に示したコピーモード画面で送信モード選択キー２２０２が指示されると、コア部１０のＣＰＵ１２３は、動作モードを送信モードに切り替え、ＬＣＤ２２００上の画面を送信モード画面に切り替え制御する。そして、図９に示した送信モード画面上の閲覧制限モードキー１００３が指示されると、コア部１０のＣＰＵ１２３は、閲覧制限をＯＮに設定制御する（Ｓ１０１）。
【００７３】
そして、送信モード画面上で読込設定，ファイル形式設定等がなされて操作部１３のスタートキー２２３１が押下されると、コア部１０のＣＰＵ１２３は、リーダ部１による原稿のスキャン処理を実行するように制御する（Ｓ１０２）。図８に示した例では、５ページ分の画像データが読み取られる。
【００７４】
そして、スキャン処理が終了すると、コア部１０のＣＰＵ１２３は、ＬＣＤ部２２００に図１１に示した閲覧制限設定モード画面を表示するように制御し（Ｓ１０３）、閲覧制限設定モード画面上からの送信先の指定を受け付ける（Ｓ１０４）。ユーザは、閲覧制限設定モード画面上にて送信データ毎に（即ち、閲覧制限パターン毎に）送信先を指定可能である。逆の言い方をすれば、ユーザは、指定した各送信先毎に前記画像データに異なる閲覧制限（閲覧範囲（ページ），閲覧範囲外の閲覧を制限する方法（削除／パスワードマスク））を指定可能である。
【００７５】
図１１の送信先キー１１１８が指示されると、コア部１０のＣＰＵ１２３は、図示しない送信先指定画面をＬＣＤ部２２００上に表示制御する。この送信先指定画面によりユーザは対応する送信データの送信先を複数指定することができる。この送信先指定画面より送信先が指定されると、コア部１０のＣＰＵ１２３は、送信先リスト１１０８に送信データ（１１０９〜１１１１）を１つ追加するようＬＣＤ部２２００を制御する。そして該追加された送信データに対応する送信先表示エリア（１１１２〜１１１４）に前記送信先指定画面で指定された送信先の情報が表示制御される。
【００７６】
図１１に示した例では、送信データＡには「aaa@xxxx.co.jp，・・・，ddd@xxxx.co.jp」が送信先として指定されている。また、送信データＢには「fff@xxxx.co.jp，・・・，kkk@xxxx.co.jp」が送信先として指定されている。さらに、送信データＣには「rrr@xxxx.co.jp，・・・，www@xxxx.co.jp」が送信先として指定されている。
【００７７】
なお、閲覧制限リスト１１０１にも送信データ（１１０２〜１１０４）が１つ追加されるように、コア部１０のＣＰＵ１２３が制御する。また、閲覧制限リスト１１０１，送信先リスト１１０８では、設定中の送信データがコア部１０のＣＰＵ１２３により反転表示される。なお、図１１に示した例では、送信データＢが設定中で反転表示されている。
【００７８】
ステップＳ１０４の送信先の指定が終了すると、コア部１０のＣＰＵ１２３は、該指定された送信先への送信データに対する閲覧制限を受け付けるように制御する。即ち、図１１の制限無しキー１１１５，削除キー１１１６，パスワードマスク設定キー１１１７の指示を受け付ける。
【００７９】
そして、ステップＳ１０５において、コア部１０のＣＰＵ１２３は、制限有りか否かを判定し、制限なし（即ち、制限無しキー１１１５が指示された）と判定した場合には、ステップＳ１１１１に進み、制限なしデータを生成する。詳細には、ステップＳ１０２でスキャンしたスキャン画像全ページ（図８，図１１の例では１〜５ページ）を図１０のファイル形式キー１００２で指定されたファイルフォーマットにデータ変換した送信データ（図８，図１１の例では送信データＡ）を生成する。そしてメモリ１２４のＲＡＭ領域に格納し、ステップＳ１１２に処理を進める。図８に示した例では、送信データＡが生成される。
【００８０】
一方、ステップＳ１０５で、コア部１０のＣＰＵ１２３が、制限あり（即ち、制限ページ選択エリア１１２０が指示された）と判定した場合には、ステップＳ１０６へ進む。ステップＳ１０６において、コア部１０のＣＰＵ１２３は、ページ選択エリア１１２０での制限ページの選択を受けとり、パスワードマスク設定キー１１１７又は削除キー１１１６への指示を受け付ける。
【００８１】
そして、パスワードマスク設定キー１１１７又は削除キー１１１６が指示されると、閲覧制限がパスワードマスクであるか否かを判定する（Ｓ１０７）。
【００８２】
ステップＳ１０７で、コア部１０のＣＰＵ１２３は、閲覧制限がパスワードマスクである（即ち、パスワードマスク設定キー１１１７が指示された）と判定した場合には、ステップＳ１０８に処理を進める。ステップＳ１０８において、コア部１０のＣＰＵ１２３は、図示しないパスワード入力画面をＬＣＤ２２００上に表示して、ユーザからのパスワードの設定を受け付ける。そして、ユーザからパスワード設定がなされると、コア部１０のＣＰＵ１２３は、ステップＳ１０９において、以下の処理を行う。即ち、制限のかからないページ（ページ選択エリア１１２０で選択されていないページ（図８，図１１に示した例では１ページ，２ページ））はそのまま図１０のファイル形式キー１００２で指定されたファイルフォーマットにデータ変換する。一方、制限ページ（ページ選択エリア１１２０で選択されたページ（図８，図１１に示した例では３，４，５ページ））は前記パスワードでマスクされたデータに変換する。これらから送信データ（図８，図１１に示した例では送信データＣ）を生成し、メモリ１２４のＲＡＭ領域に格納し、ステップＳ１１２に処理を進める。
【００８３】
一方、ステップＳ１０７で、コア部１０のＣＰＵ１２３は、閲覧制限がパスワードマスクでない（即ち、削除キー１１１６が指示された）と判定した場合には、ステップＳ１１０に処理を進め、選択ページ削除データを生成する。詳細には、コア部１０のＣＰＵ１２３は、制限ページを除いて、制限のかからないページのみを図１０のファイル形式キー１００２で指定されたファイルフォーマットにデータ変換する。これらから送信データ（図８，図１１に示した例では送信データＣ）を生成し、メモリ１２４のＲＡＭ領域に格納し、ステップＳ１１２に処理を進める。ここで、制限ページとは、ページ選択エリア１１２０で選択されたページ（図８、図１１に示した例では２，４ページ）である。また、制限のかからないページとは、ページ選択エリア１１２０で選択されていないページ（図８、図１１に示した例では１，３，５ページ）である。
【００８４】
次に、ステップＳ１１２において、コア部１０のＣＰＵ１２３は、他の宛先が有るか否かを判定し、他の宛先がある（送信先キー１１１８が指示された）と判定した場合には、ステップＳ１０４に処理を戻し、新たな送信先の指定を受け付ける。なお、送信先リスト１１０８で送信データＡ〜Ｃ（１１０９〜１１１１）、閲覧制限表示エリア１１０１で送信データＡ〜Ｃ（１１０２〜１１０４）を指示することにより、送信先の指定、閲覧制限を変更することも可能である。
【００８５】
一方、ステップＳ１１２において、コア部１０のＣＰＵ１２３は、他の宛先がない（決定キー１１１９が指示された）と判定した場合には、ステップＳ１１３に処理を進める。そしてＣＰＵ１２３は、ステップＳ１１１，Ｓ１０９，Ｓ１１０で生成された各送信先毎の送信データ（図１１に示した例では送信データＡ，Ｂ，Ｃ）を、それぞれ対応する送信先に送信するように制御する。
【００８６】
そして、ステップＳ１１３の送信処理が終了すると、本フローチャートの処理を終了する。
【００８７】
以上の説明したように、本実施形態では、ユーザの意図に応じて複数ページの画像データを複数の相手先（送信先）に対して異なる閲覧範囲（閲覧制限）を設定して一括送信する場合の操作を簡素化できる。及び送信データの利便性の向上を実現可能なデータ送信環境を提供することができる。
【００８８】
即ち、スキャンデータを送信する機能（send機能）において、複数ページからなる所定のジョブを複数の宛先に同報送信する場合において、宛先毎に送信ページ（閲覧範囲）を指定して一括送信できる。例えば、全５頁からなる画像データを宛先１〜３に送信する際に、宛先１には全ページ送信（図８に示した送信データＡを送信）することができる。また、宛先２には１，３，５ページ送信（図８に示した送信データＢを送信）することができる。さらに、宛先３には１，２ページを通常送信し且つ３〜５ページをパスワードでマスクして送信（図８に示した送信データＣを送信）することができる。
【００８９】
このように、本実施形態のデータ送信装置では、入力された画像データを指定された宛先に送信する際、前記入力された画像データをページ単位で図１１のページ選択エリア１１２０にプレビュー表示する。そして、前記指定された宛先毎に、前記プレビュー表示から閲覧制限を行う任意のページ（閲覧制限を行う範囲（閲覧範囲外））を選択して閲覧制限の方法（閲覧制限無し／選択ページを削除する／選択ページをパスワードによるマスク）を選択させる。さらに、本実施形態のデータ送信装置は、該閲覧制限設定に応じて前記入力された画像データを処理し、ユーザが指定した適切なファイルフォーマットに変換する。これにより送信データを生成する（各宛先毎に指定された閲覧範囲外の閲覧を制限した前記各宛先毎の送信データをそれぞれ生成する）。さらに、本実施形態のデータ送信装置は、上述のように宛先毎に生成された複数の異なる閲覧制限設定された画像データ（送信データ）を対応する宛先にそれぞれ送信するように制御する。これにより、本実施形態のデータ送信装置によれば、以下のような効果を奏する。複数ページからなるスキャンデータを複数の宛先に対して異なる形態（閲覧範囲）で送る場合でも、１回のスキャンにより、複数の各送り先に最適な閲覧範囲の画像データ（閲覧範囲外の閲覧を制限した画像データ）を送信することができる。また各宛先毎の閲覧制限（閲覧範囲，閲覧範囲外の閲覧を制限する方法）を設定するだけで、複数の各送り先に最適な閲覧範囲の画像データ（閲覧範囲外の閲覧を制限した画像データ）を送信することができる。従って、複数ページからなる入力画像データを複数の宛先に対して送る際に、各送り先に合わせてページ単位で閲覧制限を設定して各宛先に一括して送信することができる。
【００９０】
なお、本実施形態のデータ送信装置では、上述のように、パスワードによって閲覧制限ページをマスクするので、後からパスワードの入力による制限の解除が可能となる。これにより、送信先で前記閲覧制限ページの閲覧が必要になった場合にパスワードの開示だけで対応できる（閲覧させることができる）。
【００９１】
また、上記ページ削除による閲覧制限を行って送信する構成は、言い換えると以下の構成である。即ち、本実施形態のデータ送信装置は、複数のページのそれぞれに対応する画像データを入力する手段と、複数の宛先を指定する手段を有する。さらに、前記指定された複数の宛先毎に、前記複数のページのうち送信すべきページを選択する手段を有する。そして、ユーザからの一度の送信指示によって、前記選択されたページに対応する画像データを前記複数の宛先毎に送信する手段を有する構成である。これにより、複数ページからなる入力画像データを複数の宛先に送る際に、一度の送信指示によって、各宛先に合わせて選択されたページのみを各宛先に、一括して送信することができる。
【００９２】
〔第２実施形態〕
本実施形態では、送信宛先がcc（カーボンコピー）の場合には、入力された複数ページの画像データの表紙ページ（１ページ目）のみを送信するよう構成する。
【００９３】
以下、図１２〜図１３を参照して、本発明の第２実施形態におけるデータ送信方法について説明する。
【００９４】
図１２は、本発明のデータ送信装置における第２の制御処理手順の一例を示すフローチャートである。なお、このフローチャートの処理は、図４に示したコア部１０のＣＰＵ１２３がメモリ１２４又はその他の記憶媒体（記録媒体）に格納されたプログラムをメモリ１２４のＲＡＭ領域にロードして実行される。また、図１２中、Ｓ１０１〜Ｓ１０３，Ｓ１０５〜Ｓ１１２，Ｓ２０１〜Ｓ２０４は各ステップを示す。また、図７と同一のステップには同一のステップ番号を付してある。
【００９５】
図１３は、本発明の第２実施形態における閲覧制限設定モード画面の一例を示す図であり、図１１と同一のものには同一の符号を付してある。
【００９６】
以下、図１２のフローチャートにおいて図７と異なるステップのみを説明する。
【００９７】
ステップＳ１０２のスキャン処理が終了すると、コア部１０のＣＰＵ１２３は、ＬＣＤ部２２００に図１２に示した閲覧制限設定モード画面を表示するように制御し（Ｓ１０３）、閲覧制限設定モード画面上からの送信先の指定を受け付ける（Ｓ２０１）。
【００９８】
図１２の送信先キー１１１８が指示されると、コア部１０のＣＰＵ１２３は、図示しない送信先指定画面をＬＣＤ部２２００上に表示制御する。この送信先指定画面によりユーザは対応する送信データの送信先を複数指定することができる。また、送信先をcc（カーボンコピー）として指定することもできる。この送信先指定画面より送信先（to，cc）が指定されると、コア部１０のＣＰＵ１２３は、送信先リスト１１０８に送信データ（１１０９〜１１１１）を１つ追加する。そして、ＣＰＵ１２３は、該追加された送信データに対応する送信先表示エリア（１１１２〜１１１４）、cc（カーボンコピー）送信先表示エリア１３０１〜１３０３に、前記送信先指定画面で指定された送信先（to，cc）の情報を表示制御する。
【００９９】
図１３に示した例では、送信データＡには宛先（to）として「aaa@xxxx.co.jp，・・・，ddd@xxxx.co.jp」，カーボンコピー（cc）として「zzz@xxxx.co.jp」が送信先として設定されている。送信データＢには宛先（to）として「fff@xxxx.co.jp，・・・，kkk@xxxx.co.jp」，カーボンコピー（cc）として「yyy@xxxx.co.jp」が送信先として設定されている。送信データＣには宛先（to）として「rrr@xxxx.co.jp，・・・，www@xxxx.co.jp」が送信先として指定されている。
【０１００】
ステップＳ２０１の送信先（to，cc）の指定が終了すると、コア部１０のＣＰＵ１２３は、ステップＳ２０２において、ステップＳ２０１で指定した送信先にcc（カーボンコピー）が含まれているか否かを判定する。その結果、送信先にccが含まれていると判定した場合には、ステップＳ２０３に処理を進める。
【０１０１】
ステップＳ２０３において、コア部１０のＣＰＵ１２３は、２ページ以降のページを除き、１ページのみを図１０のファイル形式キー１００２で指定されたファイルフォーマットにデータ変換してcc用の送信データを生成する。そしてＣＰＵ１２３は、生成した送信データをメモリ１２４のＲＡＭ領域に格納し、ステップＳ１０５に処理を進める。なお、フローチャートには示していないが、既にcc用の送信データが生成されている場合には、ステップＳ２０３の処理は省略するものとする。
【０１０２】
一方、ステップＳ２０２で、コア部１０のＣＰＵ１２３が、ステップＳ２０１で指定した送信先にcc（カーボンコピー）が含まれていないと判定した場合には、ステップＳ１０５に処理を進める。
【０１０３】
また、ステップＳ２０４において、コア部１０のＣＰＵ１２３は、ステップＳ１１１，Ｓ１０９，Ｓ１１０，Ｓ２０３で生成された各送信データを、それぞれ対応する送信先に一括して送信するように制御する。なお、上記ステップＳ１１１，Ｓ１０９，Ｓ１１０，Ｓ２０３で生成された各送信データとは、図１３に示した例では送信データＡ，Ｂ，Ｃ、及び、cc用送信データに対応する。即ち、ステップＳ２０３で生成されたcc用の送信データは、ccに指定された送信先に送信される。
【０１０４】
そして、ステップＳ２０４の送信処理が終了すると、本フローチャートの処理を終了する。
【０１０５】
以上説明したように、本実施形態では、cc宛には、表紙ページ（１ページ目）だけを送るように制御する。これにより、cc宛には、ユーザが逐次閲覧制限を設定しなくても、表紙ページだけを送信することができ、どのようなデータが送られたかを容易にccレベルの関係者に伝えることができる。
【０１０６】
〔第３実施形態〕
本実施形態では、送信宛先がcc（カーボンコピー）の場合には、入力された複数ページの画像データの表紙ページ（１ページ目）のみを閲覧制限無しとし、２ページ以降の画像データをパスワードでマスクして送信するよう構成する。
【０１０７】
以下、図１４を参照して、本発明の第３実施形態におけるデータ送信方法について説明する。
【０１０８】
図１４は、本発明のデータ送信装置における第３の制御処理手順の一例を示すフローチャートである。なお、このフローチャートの処理は、図４に示したコア部１０のＣＰＵ１２３がメモリ１２４又はその他の記憶媒体（記録媒体）に格納されたプログラムをメモリ１２４のＲＡＭ領域にロードして実行される。また、図１４中、Ｓ１０１〜Ｓ１０３，Ｓ１０５〜Ｓ１１２，Ｓ２０１，Ｓ２０２，Ｓ２０４，Ｓ３０１，Ｓ３０２は各ステップを示す。また、図７，図１２と同一のステップには同一のステップ番号を付してある。
【０１０９】
以下、図１４のフローチャートにおいて図７，図１２と異なるステップのみを説明する。
【０１１０】
ステップＳ２０１の送信先（to，cc）の指定が終了すると、コア部１０のＣＰＵ１２３は、ステップＳ２０２において、ステップＳ２０１で指定した送信先にcc（カーボンコピー）が含まれているか否かを判定する。その結果、送信先にccが含まれていると判定した場合には、ステップＳ３０１に処理を進める。
【０１１１】
ステップＳ３０１において、コア部１０のＣＰＵ１２３は、図示しないパスワード入力画面をＬＣＤ２２００上に表示して、ユーザからのパスワードの設定を受け付ける。そして、ユーザからパスワード設定がなされると、コア部１０のＣＰＵ１２３は、ステップＳ３０２において、１ページはそのまま図１０のファイル形式キー１００２で指定されたファイルフォーマットにデータ変換する。また、２ページ以降のページは前記設定されたパスワードでマスクされたデータに変換してcc用の送信データを生成する。そして、生成したcc用の送信データをメモリ１２４のＲＡＭ領域に格納し、ステップＳ１０５に処理を戻す。なお、フローチャートには示していないが、既にcc用の送信データが生成されている場合には、ステップＳ３０１，S３０２の処理は省略するものとする。なお、このステップＳ３０２で生成されたcc用の送信データが、ステップＳ２０４でccに指定された送信先に送信される。
【０１１２】
以上説明したように、本実施形態では、cc宛には、パスワードによって２ページ以降をマスクして送るように制御する。これにより、cc宛には、ユーザが逐次閲覧制限を設定しなくても、どのようなデータが送られたかを容易にccレベルの関係者に伝えることができる。さらに、cc宛てで送った先で前記閲覧制限ページの閲覧が必要になった場合にも、パスワードの開示だけで、対応（データ開示）できる。このため、従来のように、再スキャンを行って、データを再送するという煩雑な作業を行う必要がなくなる等の効果を奏する。
【０１１３】
なお、ブラインドカーボンコピー（Bcc）宛には、表紙ページ（１ページ目）だけをパスワードマスクして送信するように制御してもよい。
【０１１４】
〔第４実施形態〕
本実施形態では、予め宛先名，電子メールアドレス，所属名，役職等の情報を登録できるアドレス帳を備えている。そして、閲覧制限された送信データと前記登録されたアドレス帳の付加情報（前記所属名や役職等のメールアドレス以外の情報）とをリンクするように構成する。さらに、宛先を指定するだけで、該宛先に対応する付加情報にリンクされた閲覧制限データを自動的に添付して送信可能に構成する。
【０１１５】
本実施形態では、上述したように、予め、宛先名，電子メールアドレス，所属名，役職等の情報を登録できるアドレス帳（ＤＢ）をメモリ１２４内の不揮発性メモリ領域に記憶させておく。このアドレス帳の入力は、操作部１３から行う構成であっても、ＰＣ／ＷＳ１１等の外部装置から行う構成であってもよい。
【０１１６】
以下、図１５〜図１７を参照して、本発明の第４実施形態におけるデータ送信方法について説明する。
【０１１７】
図１５は、本発明のデータ送信装置における第４の制御処理手順の一例を示すフローチャートである。なお、このフローチャートの処理は、図４に示したコア部１０のＣＰＵ１２３がメモリ１２４又はその他の記憶媒体（記録媒体）に格納されたプログラムをメモリ１２４のＲＡＭ領域にロードして実行される。また、図１５中、Ｓ４０１〜Ｓ４１４は各ステップを示す。
【０１１８】
図１６は、本発明の第４実施形態における閲覧制限の設定例を示す図である。なお、ここでは、５ページの原稿を３つの閲覧制限パターン（Ａ，Ｂ，Ｃ）で送信する場合を例として示す。
【０１１９】
図１６に示すように、閲覧制限パターンＡは、閲覧制限のない場合に対応する。閲覧制限パターンＢは、３ページ，４ページ，５ページをパスワードでマスクする閲覧制限に対応する。閲覧制限パターンＣは、３〜４ページを削除する閲覧制限に対応する。
【０１２０】
図１７は、本発明の第４実施形態における閲覧制限設定モード画面の一例を示す図であり、図１１と同一のものには同一の符号を付してある。
【０１２１】
以下、図１５のフローチャートの各ステップについて説明する。
【０１２２】
まず、図９に示したコピーモード画面で送信モード選択キー２２０２が指示されると、コア部１０のＣＰＵ１２３は、動作モードを送信モードに切り替え、ＬＣＤ２２００上の画面を送信モード画面に切り替え制御する。そして、図９に示した送信モード画面上の閲覧制限モードキー１００３が指示されると、コア部１０のＣＰＵ１２３は、閲覧制限をＯＮに設定制御する（Ｓ４０１）。
【０１２３】
そして、送信モード画面上で読込設定，ファイル形式設定等がなされて操作部１３のスタートキー２２３１が押下されると、コア部１０のＣＰＵ１２３は、リーダ部１による原稿のスキャン処理を実行するように制御する（Ｓ４０２）。図１６に示した例では、５ページ分の画像データが読み取られる。
【０１２４】
そして、スキャン処理が終了すると、コア部１０のＣＰＵ１２３は、ＬＣＤ部２２００に図１７に示した閲覧制限設定モード画面を表示するように制御し（Ｓ４０３）、閲覧制限設定モード画面上からの閲覧制限を受け付ける。即ち、図１７の制限無しキー１１１５，削除キー１１１６，パスワードマスク設定キー１１１７の指示を受け付ける。
【０１２５】
そして、ステップＳ４０４において、コア部１０のＣＰＵ１２３は、制限有りか否かを判定し、制限なし（即ち、制限無しキー１１１５が指示された）と判定した場合には、ステップＳ４１０に進み、制限なしデータを生成する。詳細には、ステップＳ４０２でスキャンしたスキャン画像全ページ（図１６，図１７に示した例では１〜５ページ）を図１０のファイル形式キー１００２で指定されたファイルフォーマットにデータ変換する。これにより、送信データ（図１６，図１７に示した例では送信データＡ）を生成する。そして生成された送信データをメモリ１２４のＲＡＭ領域に格納し、ステップＳ４１１に処理を進める。図１６に示した例では、送信データＡが生成される。
【０１２６】
一方、ステップＳ４０４で、コア部１０のＣＰＵ１２３が、制限あり（即ち、制限ページ選択エリア１１２０が指示された）と判定した場合には、ステップＳ４０５へと進む。ステップＳ４０５において、コア部１０のＣＰＵ１２３は、ページ選択エリア１１２０での制限ページの選択を受けとり、パスワードマスク設定キー１１１７又は削除キー１１１６への指示を受け付ける。
【０１２７】
そして、パスワードマスク設定キー１１１７又は削除キー１１１６が指示されると、閲覧制限がパスワードマスクであるか否かを判定する（Ｓ４０６）。
【０１２８】
ステップＳ４０６で、コア部１０のＣＰＵ１２３は、閲覧制限がパスワードマスクである（即ち、パスワードマスク設定キー１１１７が指示された）と判定した場合には、ステップＳ４０７に処理を進める。ステップＳ４０７において、コア部１０のＣＰＵ１２３は、図示しないパスワード入力画面をＬＣＤ２２００上に表示して、ユーザからのパスワードの設定を受け付ける。そして、ユーザからパスワード設定がなされると、コア部１０のＣＰＵ１２３は、ステップＳ４０８において、制限のかからないページはそのまま図１０のファイル形式キー１００２で指定されたファイルフォーマットにデータ変換する。一方、制限ページは前記パスワードでマスクされたデータに変換する。そしてこれらから送信データ（図１６，図１７に示した例では送信データＣ）を生成し、メモリ１２４のＲＡＭ領域に格納し、ステップＳ４１１に処理を進める。ここで、制限のかからないページとはページ選択エリア１１２０で選択されていないページ（図１６，図１７に示した例では１ページ，２ページ）である。また、制限ページとはページ選択エリア１１２０で選択されたページ（図１６，図１７に示した例では３，４，５ページ）である。
【０１２９】
一方、ステップＳ４０６で、コア部１０のＣＰＵ１２３は、閲覧制限がパスワードマスクでない（即ち、削除キー１１１６が指示された）と判定した場合には、ステップＳ４０９に処理を進め、選択ページ削除データを生成する。詳細には、コア部１０のＣＰＵ１２３は、制限ページ（ページ選択エリア１１２０で選択されたページ（図１６，図１７に示した例では２〜５ページ））を除く。そして制限のかからないページ（ページ選択エリア１１２０で選択されていないページ（図１６，図１７に示した例では１，２ページ））のみを図１０のファイル形式キー１００２で指定されたファイルフォーマットにデータ変換する。そして送信データ（図１６，図１７に示した例では送信データＢ）を生成し、メモリ１２４のＲＡＭ領域に格納し、ステップＳ４１１に処理を進める。
【０１３０】
以上のステップＳ４０４〜Ｓ４１０の処理が終了すると、コア部１０のＣＰＵ１２３は、閲覧制限リスト１１０１に送信データ（１１０２〜１１０４）を１つ追加する（設定中のデータとして反転表示され）。そして、該追加された送信データに対応する閲覧制限表示エリア（１１０５〜１１０７）に前記ステップＳ４０４〜Ｓ４１０で指定された閲覧制限の情報が表示制御される。また、リンク先リスト１７０１にも送信データ（１７０２〜１７０４）が１つ追加される（設定中のデータとして反転表示される）。
【０１３１】
次に、ステップＳ４１１において、コア部１０のＣＰＵ１２３は、リンク指定を受け付ける。ユーザは、閲覧制限設定モード画面上にて送信データ毎に（即ち、閲覧制限パターン毎に）リンク先を指定可能である。
【０１３２】
まず、図１７のリンクキー１７０８が指示されると、コア部１０のＣＰＵ１２３は、図示しないリンク先設定画面をＬＣＤ部２２００上に表示制御し、リンク先の設定を受け付ける。このリンク先設定画面によりユーザは設定中の送信データのリンク先を複数設定することができる。このリンク先設定画面よりリンク先が設定されると、コア部１０のＣＰＵ１２３は、設定中の送信データに対応するリンク先表示エリア（１７０５〜１７０７）に前記リンク先設定画面で指定されたリンク先が表示制御する。
【０１３３】
図１７に示した例では、送信データＡには「部長，副部長，主席」、送信データＢには「室長，課長，主幹」、送信データＣには「一般」がリンク先として設定されている。
【０１３４】
ステップＳ４１１のリンク先設定が終了すると、コア部１０のＣＰＵ１２３は、ステップＳ４１２に処理を進める。
【０１３５】
次に、ステップＳ４１２において、コア部１０のＣＰＵ１２３は、他の設定（閲覧制限設定，リンク先設定）が有るか否かを判定する。他の設定が有る（制限無しキー１１１５又はページ選択エリア１１２０で制限ページが選択された）と判定した場合には、ステップＳ４０４に処理を戻し、新たな閲覧制限，リンク先の設定を受け付ける。なお、閲覧制限表示エリア１１０１で送信データＡ〜Ｃ（１１０２〜１１０４）、リンク先リスト１７０１で送信データＡ〜Ｃ（１７０２〜１７０４）を指示することにより、送信先の指定、閲覧制限を変更することも可能である。
【０１３６】
一方、ステップＳ４１２において、コア部１０のＣＰＵ１２３は、他のリンク先がない（決定キー１１１９が指示された）と判定した場合には、ステップＳ４１３に処理を進め、送信先の指定を受け付ける。詳細には、コア部１０のＣＰＵ１２３は、図示しない送信先指定画面をＬＣＤ部２２００上に表示制御する。この送信先指定画面によりユーザは対応する送信データの送信先を複数指定することができる。この送信先指定画面より送信先（例えば、aaa@xxxx.co.jp，・・・，rrr@xxxx.co.jp，・・・，www@xxxx.co.jp等のアドレス）が指定されると、コア部１０のＣＰＵ１２３は、ステップＳ４１４に処理を進める。
【０１３７】
ステップＳ４１４で、コア部１０のＣＰＵ１２３は、Ｓ４１３で指定された各送信先（電子メールアドレス）に、上記アドレス帳に前記各送信先に対して登録されている付加情報（役職等）にリンクされた各送信データをそれぞれ送信するように制御する。なお、上記アドレス帳に前記各送信先に対して登録されている付加情報（役職等）にリンクされた各送信データとは、Ｓ４０８〜Ｓ４１０で生成した送信データを示す。例えば、ステップＳ４１３で指定された送信先アドレスのうち、アドレス帳に部長，副部長，主席と役職登録されているアドレスに対して、送信データＡが送信される。また、ステップＳ４１３で指定された送信先アドレスのうち、アドレス帳に室長，課長，主幹と役職登録されているアドレスに対して、送信データＢが送信される。さらに、ステップＳ４１３で指定された送信先アドレスのうち、アドレス帳に一般と役職登録されているアドレスに対して、送信データＣが送信される。
【０１３８】
そして、ステップＳ４１４の送信処理が終了すると、本フローチャートの処理を終了する。
【０１３９】
以上の説明したように、本実施形態では、閲覧制限されたデータと予め登録されているアドレス帳の付加情報（例えば役職）とをリンクする。これにより、宛先を指定するだけで、該宛先に対して登録されているリンクされた閲覧制限データを自動的に添付して送信するように構成する。この構成により、ユーザは、役職等でまとめて指定するだけで、送信先のレベルに応じた閲覧制限データの一括配信が容易にできる等の効果を奏する。つまり、送信先（アドレス）毎に一々閲覧制限レベルを考慮して閲覧制限データを指定しなくてもよくなる。
【０１４０】
〔第５実施形態〕
本実施形態では、予め、電子メールアドレスにより構成されるグループを登録できるアドレス帳を備えておき、さらに、閲覧制限された送信データの送信先として、前記登録されたアドレス帳のグループを指定可能にする。そしてグループを指定するだけで、該グループに登録された送信先に、閲覧制限データを送信するように構成する。
【０１４１】
本実施形態では、上述したように、予め、電子メールアドレスにより構成されるグループを登録できるアドレス帳（ＤＢ）をメモリ１２４内の不揮発性メモリ領域に記憶させておく。このアドレス帳の入力は、操作部１３から行う構成であっても、ＰＣ／ＷＳ１１等の外部装置から行う構成であってもよい。
【０１４２】
以下、図１８〜図１９を参照して、本発明の第５実施形態におけるデータ送信方法について説明する。
【０１４３】
図１８は、本発明のデータ送信装置における第５の制御処理手順の一例を示すフローチャートである。なお、このフローチャートの処理は、図４に示したコア部１０のＣＰＵ１２３がメモリ１２４又はその他の記憶媒体（記録媒体）に格納されたプログラムをメモリ１２４のＲＡＭ領域にロードして実行される。また、図１８中、Ｓ５０１〜Ｓ５１３は各ステップを示す。
【０１４４】
図１９は、本発明の第５実施形態における閲覧制限設定モード画面の一例を示す図であり、図１１，図１７と同一のものには同一の符号を付してある。
【０１４５】
以下、図１８のフローチャートの各ステップについて説明する。
【０１４６】
まず、図９に示したコピーモード画面で送信モード選択キー２２０２が指示されると、コア部１０のＣＰＵ１２３は、動作モードを送信モードに切り替え、ＬＣＤ２２００上の画面を送信モード画面に切り替え制御する。そして、図９に示した送信モード画面上の閲覧制限モードキー１００３が指示されると、コア部１０のＣＰＵ１２３は、閲覧制限をＯＮに設定制御する（Ｓ５０１）。
【０１４７】
そして、送信モード画面上で読込設定，ファイル形式設定等がなされて操作部１３のスタートキー２２３１が押下されると、コア部１０のＣＰＵ１２３は、リーダ部１による原稿のスキャン処理を実行するように制御する（Ｓ５０２）。図１６に示した例では、５ページ分の画像データが読み取られる。
【０１４８】
そして、スキャン処理が終了すると、コア部１０のＣＰＵ１２３は、ＬＣＤ部２２００に図１９に示した閲覧制限設定モード画面を表示するように制御し（Ｓ５０３）、閲覧制限設定モード画面上からの閲覧制限を受け付ける。即ち、図１７の制限無しキー１１１５，削除キー１１１６，パスワードマスク設定キー１１１７の指示を受け付ける。
【０１４９】
そして、ステップＳ５０４において、コア部１０のＣＰＵ１２３は、制限有りか否かを判定し、制限なし（即ち、制限無しキー１１１５が指示された）と判定した場合には、ステップＳ５１０に進み、制限なしデータを生成する。詳細には、Ｓ５０２でスキャンしたスキャン画像全ページ（図１６，図１９の例では１〜５ページ）を図１０のファイル形式キー１００２で指定されたファイルフォーマットにデータ変換した送信データ（図１６，図１９の例では送信データＡ）を生成する。そしてメモリ１２４のＲＡＭ領域に格納し、ステップＳ５１１に処理を進める。図１６に示した例では、送信データＡが生成される。
【０１５０】
一方、ステップＳ５０４で、コア部１０のＣＰＵ１２３が、制限あり（即ち、制限ページ選択エリア１１２０が指示された）と判定した場合には、ステップＳ５０５に進む。ステップＳ５０５において、コア部１０のＣＰＵ１２３は、ページ選択エリア１１２０での制限ページの選択を受けとり、パスワードマスク設定キー１１１７又は削除キー１１１６への指示を受け付ける。
【０１５１】
そして、パスワードマスク設定キー１１１７又は削除キー１１１６が指示されると、閲覧制限がパスワードマスクであるか否かを判定する（Ｓ５０６）。
【０１５２】
ステップＳ５０６で、コア部１０のＣＰＵ１２３は、閲覧制限がパスワードマスクである（即ち、パスワードマスク設定キー１１１７が指示された）と判定した場合には、ステップＳ５０７に処理を進める。コア部１０のＣＰＵ１２３は、図示しないパスワード入力画面をＬＣＤ２２００上に表示して、ユーザからのパスワードの設定を受け付ける。そして、ユーザからパスワード設定がなされると、コア部１０のＣＰＵ１２３は、ステップＳ５０８において、制限のかからないページはそのまま図１０のファイル形式キー１００２で指定されたファイルフォーマットにデータ変換する。一方、制限ページは前記パスワードでマスクされたデータに変換する。ＣＰＵ１２３は、これらから送信データ（図１６，図１９に示した例では送信データＣ）を生成し、メモリ１２４のＲＡＭ領域に格納し、ステップＳ５１１に処理を進める。ここで、制限のかからないページとは、ページ選択エリア１１２０で選択されていないページ（図１６，図１９に示した例では１ページ，２ページ）である。また、制限ページとは、ページ選択エリア１１２０で選択されたページ（図１６，図１９に示した例では３，４，５ページ）である。
【０１５３】
一方、ステップＳ５０６で、コア部１０のＣＰＵ１２３は、閲覧制限がパスワードマスクでない（即ち、削除キー１１１６が指示された）と判定した場合には、ステップＳ５０９に処理を進め、選択ページ削除データを生成する。詳細には、コア部１０のＣＰＵ１２３は、制限ページは除き、制限のかからないページのみを図１０のファイル形式キー１００２で指定されたファイルフォーマットにデータ変換して送信データ（図１６，図１９に示した例では送信データＢ）を生成する。そしてメモリ１２４のＲＡＭ領域に格納し、ステップＳ５１１に処理を進める。ここで、制限ページとは、ページ選択エリア１１２０で選択されたページ（図１６，図１９に示した例では２〜５ページ）である。また、制限のかからないページとは、ページ選択エリア１１２０で選択されていないページ（図１６，図１９に示した例では１，２ページ）である。
【０１５４】
以上のステップＳ５０４〜Ｓ５１０の処理が終了すると、コア部１０のＣＰＵ１２３は、閲覧制限リスト１１０１に送信データ（１１０２〜１１０４）を１つ追加する（設定中のデータとして反転表示され）。そして該追加された送信データに対応する閲覧制限表示エリア（１１０５〜１１０７）に前記ステップＳ５０４〜Ｓ５１０で指定された閲覧制限の情報が表示制御される。また、送信先／リンクリスト１８０１にも送信データ（１８０２〜１８０４）が１つ追加される（設定中のデータとして反転表示される）。
【０１５５】
次に、ステップＳ５１１において、コア部１０のＣＰＵ１２３は、送信先グループの指定を受け付ける。ユーザは、閲覧制限設定モード画面上にて送信データ毎に（即ち、閲覧制限パターン毎に）送信先グループを指定可能である。
【０１５６】
まず、コア部１０のＣＰＵ１２３は、図示しない送信先グループ指定画面をＬＣＤ部２２００上に表示制御し、送信先グループの指定を受け付ける。この送信先グループ指定画面によりユーザは設定中の送信データの送信先グループを複数設定することができる。この送信先グループ指定画面より送信先グループが設定されると、コア部１０のＣＰＵ１２３は、設定中の送信データに対応する送信先グループ表示エリア（１８０５〜１８０７）に前記送信先グループ指定画面で指定された送信先グループの情報を表示制御する。
【０１５７】
図１９に示した例では、送信データＡには「グループ１」、送信データＢには「グループ２」、送信データＣには「グループ３」が送信先グループとして指定されている。
【０１５８】
ステップＳ５１１の送信先グループ指定が終了すると、コア部１０のＣＰＵ１２３は、ステップＳ５１２に処理を進める。
【０１５９】
次に、ステップＳ５１２において、コア部１０のＣＰＵ１２３は、他の設定（閲覧制御設定、送信先グループ指定等）が有るか否かを判定する。他の設定がある（制限無しキー１１１５又はページ選択エリア１１２０で制限ページが選択された）と判定した場合には、ステップＳ５０４に処理を戻す。そして新たな閲覧制限，送信先グループ等の設定を受け付ける。なお、閲覧制限表示エリア１１０１で送信データＡ〜Ｃ（１１０２〜１１０４）、送信先／リンクリスト１８０１で送信データＡ〜Ｃ（１８０２〜１８０４）を指示することにより、閲覧制限、送信グループ先の指定を変更することも可能である。
【０１６０】
一方、ステップＳ５１２において、コア部１０のＣＰＵ１２３は、他の設定がない（決定キー１１１９が指示された）と判定した場合には、ステップＳ５１３に処理を進める。
【０１６１】
そして、ステップＳ５１３において、コア部１０のＣＰＵ１２３は、ステップＳ５１１で指定された各送信先グループとしてアドレス帳にて登録されている電子メールアドレスに、各送信データをそれぞれ送信するように制御する。各送信データは、Ｓ５０８，Ｓ５０９，Ｓ５１０で生成されたものである。
【０１６２】
例えば、アドレス帳にグループ１として登録されているアドレスに対して、送信データＡが送信される。また、アドレス帳にグループ２として登録されているアドレスに対して、送信データＢが送信される。さらに、アドレス帳にグループ３として登録されているアドレスに対して、送信データＣが送信される。
【０１６３】
そして、ステップＳ５１３の送信処理が終了すると、本フローチャートの処理を終了する。
【０１６４】
以上の説明したように、本実施形態では、閲覧制限された送信データをグループ毎に割り付ける。この構成によって、ユーザは、送信先（アドレス）毎に一々閲覧制限レベルを考慮して閲覧制限データを指定しなくても、グループでまとめて指定するだけで、送信先のレベルに応じた閲覧制限データの配信を容易に行うことができる等の効果を奏する。
【０１６５】
なお、図１９に示した閲覧制限設定モード画面のアドレス／グループキー１８０８を指示することにより、第１〜３実施形態で示したように、個々のアドレスで送信先を設定させるように、コア部１０のＣＰＵ１２３が制御する構成となっている。
【０１６６】
また、図１９に示した閲覧制限設定モード画面のリンクキー１７０８を指示することにより、第４実施形態で示したように、送信データとアドレス帳に登録された付加情報（例えば役職）とをリンク設定させる。そして、指定される送信先に、該送信先に対して登録された付加情報（役職）にリンクされる送信データを送信するように、コア部１０のＣＰＵ１２３が制御する構成となっている。
【０１６７】
なお、上記各実施形態では、原稿から読み取られるスキャンデータに対して異なる複数の閲覧制限を付して、それぞれ異なる送信先に送信制御する構成について説明した。しかしながら、閲覧制限を付して送信する画像データはスキャンデータに限られるものではなく、以下のような画像データであってもよい。
【０１６８】
例えば、ＰＣ／ＷＳ１１等の外部装置から入力される画像データ、前記外部装置から入力されたＰＤＬデータに基づいてフォーマッタ部８，９が展開した画像データであってもよい。また、ファクシミリ受信した画像データ，ボックスモードで光磁気ディスクドライブユニット６に格納された画像データであってもよい。また、画像データでなくとも、各種アプリケーションプログラムで作成されたドキュメントデータであってもよい。
【０１６９】
また、上記各実施形態では、閲覧制限として、ページの削除、又は、ページのパスワードマスク設定を選択設定する構成について説明したが、ページの削除とページのパスワードマスク設定とを組み合わせて設定可能に構成してもよい。例えば、全５ページの画像データの、２ページを削除、３，４ページにパスワードマスクを設定するような閲覧制限も可能にする。
【０１７０】
さらに、閲覧制御は、削除，パスワードマスクに限られるものではなく、モザイクや黒ベタ塗り等の画像処理を施した閲覧制御であってもよい。
【０１７１】
また、ページ単位に設定する閲覧制御に限られるものではなく、ページ内の一部分の領域のみを削除したり、パスワードマスクしたり、モザイクや黒ベタ塗りにして見えなくしたりするような閲覧制御であってもよい。
【０１７２】
さらに、上記各実施形態では、削除制限を行う場合、スキャン画像のプレビュー表示から削除するページを選択する構成について説明したが、プレビュー表示から送信する画像を選択し、選択されなかった画像は送信しないように構成してもよい。
【０１７３】
また、上記第１，４，５実施形態で示した電子メールを用いて（宛先が電子メールアドレス）画像データを送信先する構成を、宛先をファクシミリ番号として、画像データをファクシミリ送信するように構成にしてもよい。また、電子通信媒体を介してデータ送信する送信方法であればどのような送信方法でも本発明に適用可能である（例えば、ｆｔｐサーバにｆｔｐ送信等）。
【０１７４】
さらに、上記各実施形態では、本発明のデータ送信装置を複合機に適用する構成、即ち、該複合機により画像データを送信制御する構成について説明した。しかし、複合機の代わりにパーソナルコンピュータのような情報処理装置により画像データを送信制御するように構成してもよい。即ち、本発明のデータ送信装置をパーソナルコンピュータのような情報処理装置に適用するように構成してもよい。
【０１７５】
また、上記各実施形態で示した画像データ，閲覧制御設定，宛先指定，リンク先指定等の各種データの構成及びその内容はこれに限定されるものではなく、用途や目的に応じて、様々な構成や内容で構成されることは言うまでもない。
【０１７６】
さらに、上記各実施形態では、入力された画像データに宛先毎の閲覧制限を施した送信データを各宛先に一括して送信する構成について説明したが、各送信データを生成した際にそれぞれ送信するように構成してもよい。
【０１７７】
以上、一実施形態について示したが、本発明は、例えば、システム、装置、方法、プログラムもしくは記憶媒体等としての実施態様をとることが可能であり、具体的には、複数の機器から構成されるシステムに適用しても良い。また、一つの機器からなる装置に適用しても良い。
【０１７８】
なお、上述した各実施形態及びその変形例を組み合わせた構成も全て本発明に含まれるものである。
【０１７９】
以上説明したように、入力された画像データを複数の宛先に送信するデータ送信装置において、前記入力された複数ページの画像データを送信する複数組の宛先に対して異なる閲覧制御を行った画像データを送信制御するように構成する。
【０１８０】
即ち、前記１組の宛先毎に、入力された画像データをページ単位でプレビュー表示するユーザインタフェースを用いて閲覧制限を行う任意のページを選択させる。そして該選択された閲覧制限を行うページに対して閲覧制御内容（削除するかパスワードによるマスクを行うか）を選択させる。そして、このように設定された閲覧制限に基づいて画像データを処理して（選択ページの削除，選択ページのパスワードマスク処理を行い）、適切なファイルフォーマットの画像データに変換して送信データを生成する。そして、ユーザが送信指示を行った際に、一括して、前記各組の宛先毎にそれぞれ生成された送信データをそれぞれの宛先に送信するように構成する。
【０１８１】
このような構成により、複数ページからなるスキャンデータを複数の宛先に対して送る際に、各送り先に合わせてページ単位で閲覧制限を設定して各宛先に一括して送信を行うことが可能となる。
【０１８２】
以下、図２０に示すメモリマップを参照して本発明に係るデータ送信装置で読み取り可能なデータ処理プログラムの構成について説明する。
【０１８３】
図２０は、本発明に係るデータ送信装置（データ送信装置内のコンピュータ）で読み取り可能な各種データ処理プログラムを格納する記憶媒体（記録媒体）のメモリマップを説明する図である。
【０１８４】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１８５】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１８６】
本実施形態における図７，図１２，図１４，図１５，図１８に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１８７】
以上のように、前述した実施形態の機能を実現するソフトウェアのプログラムコードを記録した記憶媒体を、システムあるいは装置に供給する。そして、そのシステムあるいは装置のコンピュータ（またはCPUやMPU）が記憶媒体に格納されたプログラムコードを読出し実行することによっても、本発明の目的が達成されることは言うまでもない。
【０１８８】
この場合、記憶媒体から読み出されたプログラムコード自体が本発明の新規な機能を実現することになり、そのプログラムコードを記憶した記憶媒体は本発明を構成することになる。
【０１８９】
従って、プログラムの機能を有していれば、オブジェクトコード、インタプリタにより実行されるプログラム、ＯＳに供給するスクリプトデータ等、プログラムの形態を問わない。
【０１９０】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１９１】
この場合、記憶媒体から読出されたプログラムコード自体が前述した実施形態の機能を実現することになり、そのプログラムコードを記憶した記憶媒体は本発明を構成することになる。
【０１９２】
その他、プログラムの供給方法としては、クライアントコンピュータのブラウザを用いてインターネットのホームページに接続し、該ホームページから本発明のプログラムそのものをハードディスク等の記憶媒体にダウンロードすることによっても供給できる。また、該ホームページから圧縮され自動インストール機能を含むファイルをハードディスク等の記憶媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるWWWサーバやFTPサーバ等も本発明の請求項に含まれるものである。
【０１９３】
また、本発明のプログラムを暗号化してCD-ROM等の記憶媒体に格納してユーザに配布する。さらに、所定の条件をクリアしたユーザに対し、インターネットを介してホームページから暗号化を解く鍵情報をダウンロードさせる。さらに、その鍵情報を使用することにより暗号化されたプログラムを実行してコンピュータにインストールさせて実現することも可能である。
【０１９４】
また、プログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１９５】
さらに、記憶媒体から読み出されたプログラムコードを、コンピュータに挿入された機能拡張ボードやコンピュータに接続された機能拡張ユニットに備わるメモリに書き込む。そして、該メモリに書き込まれたプログラムコードの指示に基づき、その機能拡張ボードや機能拡張ユニットに備わるCPU等が実際の処理の一部または全部を行い、その処理によって前述した実施形態の機能が実現される場合も含まれることは言うまでもない。
【０１９６】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記憶媒体を該システムあるいは装置に読み出すことによって、そのシステムあるいは装置が、本発明の効果を享受することが可能となる。
【０１９７】
本発明は上記実施形態に限定されるものではなく、本発明の趣旨に基づき種々の変形（各実施形態の有機的な組合せを含む）が可能であり、それらを本発明の範囲から排除するものではない。
【０１９８】
本発明の様々な例と実施形態を示して説明したが、当業者であれば、本発明の趣旨と範囲は、本明細書内の特定の説明に限定されるのではない。
【図面の簡単な説明】
【０１９９】
【図１】本発明の一実施形態を示すデータ送信装置を適用可能な複合機の構成の一例を示すブロック図である。
【図２】図１に示したリーダ部及びプリンタ部の断面図である。
【図３】図１，図２に示したリーダ部のブロック図である。
【図４】図１に示したコア部のブロック図である。
【図５】図１に示した操作部の構成を示す平面図である。
【図６】本実施形態の複合機の各動作モードにおける動作の一例を示すフローチャートである。
【図７】本発明のデータ送信装置における第１の制御処理手順の一例を示すフローチャートである。
【図８】本発明のデータ送信装置における閲覧制限の設定例を示す図である。
【図９】図５に示したＬＣＤ部に表示されるコピーモード画面の一例を示す図である。
【図１０】図５に示したＬＣＤ部に表示される送信モード画面の一例を示す図である。
【図１１】図５に示したＬＣＤ部２２００に表示される閲覧制限設定モード画面の一例を示す図である。
【図１２】本発明のデータ送信装置における第２の制御処理手順の一例を示すフローチャートである。
【図１３】本発明の第２実施形態における閲覧制限設定モード画面の一例を示す図である。
【図１４】本発明のデータ送信装置における第３の制御処理手順の一例を示すフローチャートである。
【図１５】本発明のデータ送信装置における第４の制御処理手順の一例を示すフローチャートである。
【図１６】本発明の第４実施形態における閲覧制限の設定例を示す図である。
【図１７】本発明の第４実施形態における閲覧制限設定モード画面の一例を示す図である。
【図１８】本発明のデータ送信装置における第５の制御処理手順の一例を示すフローチャートである。
【図１９】本発明の第５実施形態における閲覧制限設定モード画面の一例を示す図である。
【図２０】本発明に係るデータ送信装置（データ送信装置内のコンピュータ）で読み取り可能な各種データ処理プログラムを格納する記憶媒体（記録媒体）のメモリマップを説明する図である。
【符号の説明】
【０２００】
１  リーダ部
２  プリンタ部
３  画像入出力制御部
４  ファクシミリ部
５  ファイル部
７  ネットワークインタフェース部
８  フオーマッタ部
９  イメージメモリ部
１０  コア部
１３  操作部
【図１】
2007067619.tif 000003
【図２】
2007067619.tif 000004
【図３】
2007067619.tif 000005
【図４】
2007067619.tif 000006
【図５】
2007067619.tif 000007
【図６】
2007067619.tif 000008
【図７】
2007067619.tif 000009
【図８】
2007067619.tif 000010
【図９】
2007067619.tif 000011
【図１０】
2007067619.tif 000012
【図１１】
2007067619.tif 000013
【図１２】
2007067619.tif 000014
【図１３】
2007067619.tif 000015
【図１４】
2007067619.tif 000016
【図１５】
2007067619.tif 000017
【図１６】
2007067619.tif 000018
【図１７】
2007067619.tif 000019
【図１８】
2007067619.tif 000020
【図１９】
2007067619.tif 000021
【図２０】
2007067619.tif 000022